(57)【要約】【課題】各種の医療情報の同時観測を有効に行なうことが可能な医療情報表示装置の実現。【解決手段】主表示ユニット１及びこの主表示ユニット１の周囲に接近して配置された副表示ユニット２に医用装置において得られた医療情報を分散表示する医療情報表示装置１００は、副表示ユニット２の位置の情報を検知する表示ユニット検知部１３と、表示ユニット検知部１３の検知結果に基づいて副表示ユニット２に表示する副表示データを生成する情報処理部１５とを備える。【選択図】  図１
2014180338.tif 000002
【特許請求の範囲】
【請求項１】
主表示ユニット及びこの主表示ユニットの周囲に接近して配置された副表示ユニットに医用装置において得られた医療情報を分散表示する医療情報表示装置において、
前記副表示ユニットの位置の情報を検知する検知手段と、
前記検知手段の検知結果に基づいて前記副表示ユニットに表示する副表示データを生成する情報処理手段とを
備えたことを特徴とする医療情報表示装置。
【請求項２】
前記情報処理手段は、前記副表示ユニットの表示能力情報に基づいて前記各種の医療情報を処理することにより前記主表示ユニットに好適な主表示データ及び前記副表示ユニットに好適な前記副表示データを生成することを特徴とする請求項１記載の医療情報表示装置。
【請求項３】
前記情報処理手段は、前記各種の医療情報に含まれている画像データ等の主要医療データを用いて前記主表示データを生成し、前記主要医療データの付帯情報を用いて前記副表示データを生成することを特徴とする請求項２記載の医療情報表示装置。
【請求項４】
前記表示ユニット検知手段は、前記副表示ユニットの識別情報と位置情報を検出し、前記情報処理手段は、前記識別情報及び前記位置情報に基づいて前記各種の医療情報の中から選択した前記主要医療データの付帯情報を用いて前記副表示データを生成することを特徴とする請求項３記載の医療情報表示装置。
【請求項５】
前記表示ユニット検知手段は、前記主表示ユニットに対して予め設定された検知可能領域の内部に接近する前記個体識別子の位置情報を検出することを特徴とする請求項４記載の医療情報表示装置。
【請求項６】
前記主表示ユニットは、前記副表示ユニットへ供給された前記表示データを消去するための副表示データ消去指示信号を出力する指示信号出力手段を備え、前記主表示ユニットあるいは前記表示ユニットが備える固体識別子が前記検知可能領域の外部へ移動した場合、前記表示ユニット検知手段の検知結果に基づいて前記指示信号出力手段が出力した前記副表示データ消去指示信号を前記副表示ユニットへ供給することを特徴とする請求項５記載の医療情報表示装置。
【請求項７】
前記主表示ユニットは、前記表示ユニット検知手段によって検知された前記副表示ユニットに対して前記副表示データあるいは前記副表示データ消去指示信号を供給することを特徴とする請求項６記載の医療情報表示装置。
【請求項８】
主表示ユニット及びこの主表示ユニットの周囲に接近して配置された副表示ユニットに医用装置において得られた医療情報を分散表示する医療情報表示装置において、
前記主表示ユニットは、
画像診断装置等の医用装置において得られた各種の医療情報に基づいて第１の主表示データを生成し、この第１の主表示データを用いて選択された副表示データ用付帯情報に基づく副表示データと前記副表示用付帯情報が除かれた前記各種の医療情報に基づく第２の主表示データを生成する情報処理手段と、
前記第1の主表示データ及び前記第２の主表示データを表示する第１の表示手段と、
前記第１の主表示データに示されている前記各種の医療情報の中から選択した前記副表示データ用付帯情報を所定の方向へ移動させる入力手段と、
前記副表示データ用付帯情報の移動方向に配置されている前記副表示ユニットに対して前記副表示データを供給する第１の送受信手段とを備え、
前記副表示ユニットは、
前記主表示ユニットから供給された前記副表示データを受信する第２の送受信手段と、
前記副表示データを表示する第２の表示手段とを
備えたことを特徴とする医療情報表示装置。
【請求項９】
前記情報処理手段は、前記各種の医療情報に含まれている画像データ等の主要医療データを用いて前記第２の主表示データを生成し、前記副表示データ用付帯情報に対応した前記主要医療データの付帯情報を用いて前記副表示データを生成することを特徴とする請求項８記載の医療情報表示装置。
【請求項１０】
前記第１の送受信手段は、無線通信回線を介して前記第２の送受信手段と接続されていることを特徴とする請求項８記載の医療情報表示装置。
【請求項１１】
画像診断装置等の医用装置において得られた各種の医療情報を主表示ユニット及びこの主表示ユニットの周囲に近接して配置された１つあるいは複数からなる副表示ユニットを用いて分散表示する医療情報表示装置の前記主表示ユニットに対し、
前記副表示ユニットの表示能力情報に基づいて前記医療情報を処理することにより前記主表示ユニットに好適な主表示データ及び前記副表示ユニットに好適な副表示データを生成する情報処理機能と、
前記副表示データを前記副表示ユニットへ供給する送受信機能と、
前記主表示データを表示する表示機能を
実行させることを特徴とする制御プログラム。
【請求項１２】
画像診断装置等の医用装置において得られた各種の医療情報を主表示ユニット及びこの主表示ユニットの周囲に近接して配置された１つあるいは複数からなる副表示ユニットを用いて分散表示する医療情報表示装置の前記主表示ユニットに対し、
前記各種の医療情報に基づいて第１の主表示データを生成し、更に、この第１の主表示データを用いて選択された副表示データ用付帯情報に基づく副表示データと前記副表示用付帯情報が除かれた前記各種の医療情報に基づく第２の主表示データを生成する情報処理機能と、
前記第1の主表示データ及び前記第２の主表示データを表示する表示機能と、
前記第１の主表示データに示されている前記各種の医療情報の中から選択した前記副表示データ用付帯情報を所定の方向へ移動させる移動機能と、
前記副表示データ用付帯情報の移動方向に配置されている前記副表示ユニットに対して前記副表示データを供給する送受信機能を
実行させることを特徴とする制御プログラム。
【発明の詳細な説明】
【技術分野】
【０００１】
本発明の実施形態は、画像診断装置等の医用装置において生成された各種の医療情報を近接した複数の表示ユニットを用いて観測することが可能な医療情報表示装置及び制御プログラムに関する。
【背景技術】
【０００２】
超音波診断装置やＸ線ＣＴ装置等の画像診断装置や放射線治療装置等の治療装置をはじめとする各種の医用装置は、近年、急速な進歩を遂げ、今日の医療において必要不可欠なものとなっている。
【０００３】
例えば、画像診断装置は、従来、被検体に対する２次元画像データの収集を目的として開発されてきたが、近年におけるデータ処理技術や診断技術の発展に伴って画像データの収集方法や処理方法が多様化され、更に、得られた画像データに基づいた各種の計測が容易かつ正確に行なわれるようになった。即ち、被検体から収集された２次元画像データあるいは３次元画像データによる臓器の面積計測や体積計測、更には、これらの時間的変化に基づく各種の機能計測が通常の医用診断において広く行なわれている。
【０００４】
このような医用装置によって収集された、例えば、画像データのように診断あるいは治療において特に重要な医療情報（以下、主要医療データと呼ぶ。）を自己の表示部の表示パネル（モニタ）あるいは別途設けられた表示装置の表示パネルを用いて観測する場合、上述の主要医療データと共に収集される患者情報やデータ収集条件等の付帯情報を同一の表示パネル上に参照表示することにより診断精度や診断効率の向上をはかっている。
【０００５】
一方、上述のような画像診断装置をはじめとする各種医用装置によって収集される医療情報の種類やデータ容量は装置の進歩に伴って増加の一途にあり、このような医用装置によって収集された主要医療データとその付帯情報を同時観察するために、比較的大きな表示領域を有した表示パネルが用いられてきた。
【０００６】
又、通常サイズの主表示パネルの周囲に無線通信回線を介して接続された複数の副表示パネルを近接配置し、これらの表示パネルを用いて高解像度の画像データ等を分割表示することにより大きな表示パネルを用いた場合と略等価な画像データを表示することが可能な方法が提案されている。特に、近年では、コンソール型の表示装置が備える表示パネルと同程度の解像度を要したＰＤＡ（Personal Data Assistance：携帯情報端末）が実用化され、このＰＤＡを副表示パネルとして用いることにより上述の分割表示を容易に実現することが可能となった。
【先行技術文献】
【特許文献】
【０００７】
【特許文献１】特開２００５−１７３２９１号公報
【発明の概要】
【発明が解決しようとする課題】
【０００８】
主表示パネルと副表示パネルを用いた上述の分割表示法により、高い解像度を有した画像データを画質劣化させることなく表示することができる。
【０００９】
一方、上述の主要医療データとその付帯情報を同一の表示パネル上に表示する場合には、多少大きな表示パネルを用いても診断や治療に必要な主要医療データとその付帯情報の全てを同時表示するための十分な表示領域を確保することは困難である。
【００１０】
このため、主要医療データに重複配置されている各種付帯情報の中から所望の付帯情報を抽出して観察する場合には、マウス等の入力デバイスを用いてこの付帯情報の端部に設けられたタブを選択する方法が行なわれ、又、主要医療データに対して並列配置されている付帯情報の中から所望の情報を選択／抽出して観察する場合には、この付帯情報を上述の入力デバイスを用いてスクロール表示する方法が行なわれている。
【００１１】
しかしながら、タブを用いて所望の付帯情報を選択する方法によれば、選択された付帯情報が主要医療データの前面に表示されるため主要医療データの観測が妨げられ、又、スクロール表示によって所望の情報を選択あるいは抽出する方法によれば、スクロール表示に多くの時間を要するため診断効率が低下するのみならず装置を操作する医療従事者（以下、操作者と呼ぶ。）の負担が増大するという問題点を有していた。
【００１２】
本開示は、上述の問題点に鑑みてなされたものであり、その目的は、画像診断装置等の医用装置によって収集された各種の医療情報を表示する際、主表示ユニット及びこの主表示ユニットに近接して配置された副表示ユニットを併用して上述の医療情報を分散表示することにより、医療情報の詳細な観測や操作性に優れた入出力操作を可能とする医療情報表示装置及び制御プログラムを提供することにある。
【課題を解決するための手段】
【００１３】
上記課題を解決するために、本開示の医療情報表示装置は、主表示ユニット及びこの主表示ユニットの周囲に接近して配置された副表示ユニットに医用装置において得られた医療情報を分散表示する医療情報表示装置であって、前記副表示ユニットの位置の情報を検知する検知手段と、前記検知手段の検知結果に基づいて前記副表示ユニットに表示する副表示データを生成する情報処理手段とを備えたことを特徴としている。
【図面の簡単な説明】
【００１４】
【図１】本実施形態における医療情報表示装置の全体構成を示すブロック図。
【図２】本実施形態の主表示ユニットが有する表示ユニット検知部と、この表示ユニット検知部によって検出される識別情報を有した副表示ユニットの固体識別子を説明するための図。
【図３】本実施形態における主表示ユニットの情報処理部に予め保管されている副表示データ管理表を示す図。
【図４】本実施形態の分散表示モードにおける表示データの生成／表示手順を示すフローチャート。
【図５】本実施形態の変形例における医療情報表示装置の全体構成を示すブロック図。
【図６】本実施形態の変形例における副表示データ用付帯情報の選択方法とこの選択情報に基づいて生成された副表示データを表示する副表示ユニットの選択方法を説明するための図。
【図７】本実施形態の変形例における表示データの生成／表示手順を示すフローチャート。
【発明を実施するための形態】
【００１５】
以下、図面を参照して本開示の実施形態を説明する。
【００１６】
本実施形態では、別途設置された画像診断装置から供給される画像データとこの画像データに付加されている各種の付帯情報を主表示ユニットとこの主表示ユニットに近接して配置された副表示ユニットとを用いて分散表示させる際、医療情報表示装置の主表示ユニットは、先ず、自己の所定領域内（検知可能領域内）に進入した副表示ユニットの接近方向を位置情報として検出する。そして、画像診断装置から取得した各種付帯情報の中から上述の位置情報に基づいて抽出した付帯情報を副表示ユニットの表示能力情報に基づいて処理することにより副表示ユニットに好適な副表示データを生成し、得られた副表示データを副表示ユニットの表示部が備える表示パネルに表示する。
【００１７】
又、副表示ユニットが主表示ユニットの検知可能領域外へ移動した場合、主表示ユニットは、副表示ユニット２の接近解除情報に基づいて生成した副表示データ消去指示信号を副表示ユニットへ供給し、副表示ユニットは、この指示信号に基づいて生成した出力制御信号を表示部へ供給することにより表示パネルにおける副表示データの表示を終了すると共に、表示データ記憶部に保存されていた当該副表示データを消去する。
【００１８】
尚、以下に述べる実施形態では、画像診断装置等の医用装置から供給される画像データやその付帯情報として画像データと共に供給される患者情報や画像データ収集条件等を、複数の表示ユニットを用いて分散表示する際、画像データ等の主要医療データをコンソール型の主表示ユニットに表示し、付帯情報の１部あるいは全てを主表示ユニットに接近して配置されたＰＤＡ（携帯情報端末）等の副表示ユニットに表示する場合について述べるが、主表示ユニット及び副表示ユニットは上述に限定されるものではなく、例えば、ＰＤＡを主表示ユニットとして用い、コンソール型の表示ユニットを副表示ユニットとして用いてもよい。
【００１９】
又、主表示ユニットに表示される医療情報は、当該診断において得に重要な医療情報（主要医療データ）であれば画像データ以外の医療情報であっても構わない。
【００２０】
（装置の構成）
本実施形態における医療情報表示装置の全体構成につき図１のブロック図を用いて説明する。
【００２１】
図１に示す本実施形態の医療情報表示装置１００は、主表示ユニット１と１つあるいは複数からなる副表示ユニット２を備え、副表示ユニット２は、主表示ユニット１に対して所定領域内に接近した場合、無線通信回線を介した主表示ユニット１との通信が可能となるように構成されている。
【００２２】
そして、主表示ユニット１は、別途設置された画像診断装置から供給される画像データとこの画像データの付帯情報である患者情報や画像データ収集条件等を医療情報として取得する医療情報取得部１１と、医療情報取得部１１から供給される上述の画像データ及びその付帯情報を保存する医療情報記憶部１２と、主表示ユニット１に接近した副表示ユニット２を検知する表示ユニット検知部１３と、副表示ユニット２に対する表示能力情報要求信号や後述する副表示データ、更には、副表示データ消去指示信号の送信と上述の表示能力情報要求信号に基づいて副表示ユニット２から供給される表示能力情報の受信を行なう送受信部１４と、医療情報記憶部１２から読み出した画像データ及びその付帯情報を用いて第１の主表示データを生成し、更に、副表示ユニット２から供給される上述の表示能力情報及び表示ユニット検知部１３から供給される副表示ユニット２の位置情報（接近方向）に基づいて上述の医療情報を選択／処理することにより第２の主表示データ及び副表示ユニット２に対応した副表示データを生成する情報処理部１５と、第１の主表示データ及び第２の主表示データを表示する表示部１６を備え、更に、表示モード（標準表示モード及び分散表示モード）の選択、表示部１６に表示される第１の主表示データ及び第２の主表示データの表示条件設定、各種指示信号の入力等を行なう入力部１７と、上述の各ユニットを統括的に制御するシステム制御部１８を備えている。
【００２３】
又、主表示ユニット１は、副表示ユニットとして使用される際に必要な後述する副表示ユニット２の固体識別子２１及び表示能力情報保管部２３と略同等の機能を有する固体識別子及び表示能力情報保管部を備えている。
【００２４】
尚、本実施形態における医療情報表示装置１００は、画像診断装置から供給された略全ての医療情報（画像データ及びその付帯情報）を主表示ユニット１の表示部１６に並列表示あるいは重畳表示する標準表示モードと、上述した付帯情報の一部を主表示ユニット１に接近した副表示ユニット２に分散させて表示する分散表示モードが可能なように構成されている。
【００２５】
以下、上述の各ユニットを有する主表示ユニット１について更に詳しく説明する。但し、ここでは、説明を簡単にするためにキーボードやアイコン等が示された操作画面も画像データの付帯情報に含めて主表示ユニット１が有する構成と機能について述べる。
【００２６】
医療情報取得部１１は、図示しない画像診断装置からネットワークあるいは大容量の記憶媒体等を介して供給された画像データとこの画像データに付加された患者情報や画像データ収集条件等の付帯情報を医療情報として取得する。そして、得られた上述の画像データ及びその付帯情報は、システム制御部１８を介して医療情報記憶部１２へ供給され、この医療情報記憶部１２が備える図示しない画像データ記憶部及び付帯情報記憶部に保存される。
【００２７】
一方、表示ユニット検知部１３は、主表示ユニット１に対して所定領域内に接近した副表示ユニット２の個体識別子２１から無線通信手段によって供給される副表示ユニット２の識別情報と主表示ユニット１に対する副表示ユニット２の位置情報（接近方向）を検出する機能を有している。
【００２８】
図２は、主表示ユニット１が備える表示ユニット検知部１３と、この表示ユニット検知部１３によって検出される識別情報を有した副表示ユニット２の固体識別子２１の具体例を示したものであり、例えば、図２（ａ）に示すように、主表示ユニット１の右端部、下端部、左端部及び上端部には、識別情報及び位置情報の検出により主表示ユニット１に接近した副表示ユニットを検知する表示ユニット検知部１３ａ乃至１３ｄが備えられ、後述する副表示ユニット２の左端部、下端部、右端部及び上端部には、主表示ユニット１に対して副表示ユニット２の識別情報を送信する固体識別子２１ａ乃至２１ｄが備えられている。
【００２９】
又、主表示ユニット１が副表示ユニットとして使用される際に必要な個体識別子が表示ユニット検知部１３ａ乃至１３ｄの近傍に設けられ、同様にして、副表示ユニット２が主表示ユニットとして使用される際に必要な表示ユニット検知部が固体識別子２１ａ乃至２１ｄの近傍に設けられている。
【００３０】
そして、例えば、図２（ｂ）に示すように、副表示ユニット２が主表示ユニット１の右方向から接近し、その固体識別子２１ａが主表示ユニット１の表示ユニット検知部１３ａを中心とする破線領域内（以下、検知可能領域内と呼ぶ。）に進入した場合、表示ユニット検知部１３ａは、無線通信によって固体識別子２１ａから供給される副表示ユニット２の識別情報と接近方向を検出する。尚、この場合の接近方向の検出は、副表示ユニット２から供給される識別情報を最初に検出した表示ユニット検知部１３ａ乃至１３ｄの何れかを特定することによって行なわれる。
【００３１】
次に、送受信部１４は、副表示ユニット２が備える後述の送受信部２２との間で無線通信回線を介して各種情報の送受信を行なう機能を有している。即ち、送受信部１４は、入力部１７において選択された分散表示モードの選択情報に基づいてシステム制御部１８が出力する表示能力情報要求信号を表示ユニット検知部１３によって検出された識別情報に対応する副表示ユニット２に対して送信し、この要求信号に基づいて副表示ユニット２から供給された副表示ユニット２の表示能力情報を受信する。
【００３２】
更に、送受信部１４は、情報処理部１５が医療情報記憶部１２に保存されている当該画像データの付帯情報を上述の表示能力情報に基づいて処理することにより生成した副表示データや表示ユニット検知部１３によって検出された副表示ユニット２の接近解除情報に基づいてシステム制御部１８が出力した副表示データ消去指示信号を副表示ユニット２に対して送信する。
【００３３】
一方、情報処理部１５は、画像診断装置において生成され医療情報記憶部１２に保存された画像データ及びその付帯情報を読み出し、これらの全てが並列配置あるいは重畳配置された第１の主表示データを生成する。更に、医療情報記憶部１２から読み出した画像データ及びその付帯情報を、送受信部１４を介して供給される副表示ユニット２の表示能力情報に基づいて処理することにより画像データの観察を目的とした第２の主表示データと付帯情報の観察を目的とした副表示データを生成する。
【００３４】
特に、副表示データの生成に際し、情報処理部１５は、副表示ユニット２から送受信部１４を介して供給される副表示ユニット２の表示能力情報（例えば、副表示ユニット２の表示領域サイズ、発色能力（色数）、適用可能な言語、計算能力、記憶容量等に関する情報）を受信する。次いで、表示ユニット検知部１３によって検出された主表示ユニット１に対する副表示ユニット２の接近方向に基づいて医療情報記憶部１２に保存されている各種付帯情報の中から抽出した付帯情報を上述の表示能力情報に基づいて変換処理することにより副表示ユニット２に好適な副表示データを生成する。
【００３５】
図３は、情報処理部１５が備える図示しないデータ記憶部に予め保管されている副表示データ管理表の具体例を示したものであり、この副表示データ管理表には、主表示ユニット１に対する副表示ユニット２の接近方向と副表示データとして表示される付帯情報との関係が示されている。そして、例えば、図２（ｂ）のように主表示ユニット１の右方向から副表示ユニット２が接近した場合、情報処理部１５は、上述した副表示データ管理表の内容に基づいて医療情報記憶部１２に保存されている各種付帯情報の中から読み出した患者情報を用いて副表示データを生成し、副表示ユニット２が主表示ユニット１の上方向から接近した場合には、医療情報記憶部１２から読み出した画像データ収集条件を用いて副表示データを生成する。
【００３６】
又、主表示ユニット１の左方向あるいは下方向から副表示ユニット２が接近した場合には、所定フォーマットのアイコン選択画面やキーボード画面等の操作画面を副表示データとして生成する。
【００３７】
次に、表示部１６は、液晶や有機ＥＬ等を用いた表示パネルとタッチパッド等を用いた位置情報入力部とから構成されるタッチパネル（何れも図示せず）を有し、画像データに対し全ての付帯情報を並列配置あるいは重畳配置して生成された第１の主表示データやこの第１の主表示データから副表示ユニット２にて表示される付帯情報を除くことによって新たに生成された第２の主表示データを表示する。
【００３８】
入力部１７は、マウスやキーボード等の入力デバイスを備え、表示モード（標準表示モード／分散表示モード）の選択、表示部１６に表示される第１の主表示データ及び第２の主表示データの表示条件設定、各種指示信号の入力等を行なう。尚、入力部１７において行なわれる表示モードの選択や表示条件の設定等は、表示部１６のタッチパネルに表示された操作画面を用いて行なうことも可能である。
【００３９】
そして、システム制御部１８は、上述の各ユニットを統括的に制御する機能を有し、特に、入力部１７において主表示ユニット１と副表示ユニット２を用いた分散表示モードが選択された場合、この選択情報に基づいて表示能力情報要求信号を生成する。又、主表示ユニット１に対する副表示ユニット２の接近が解除された場合（即ち、副表示ユニット２の固体識別子２１が、主表示ユニット１が備える表示ユニット検知部１３の検知可能領域外へ移動した場合）、表示ユニット検知部１３から供給される接近解除情報に基づいて副表示データ消去指示信号を生成する。
【００４０】
一方、医療情報表示装置１００の副表示ユニット２は、例えば、タブレット端末やスマートフォン等のＰＤＡ（形態情報端末）を用いて実現することが可能であり、図１に示すように固体識別子２１と、主表示ユニット１から供給される表示能力情報要求信号、副表示データ及び副表示データ消去指示信号の受信と主表示ユニット１に対する表示能力情報の送信を行なう送受信部２２と、副表示ユニット２の表示能力情報が予め保管されている表示能力情報保管部２３と、主表示ユニット１から上述の送受信部２２を介して供給される副表示データを表示する表示部２４と、各種の選択／指示信号を入力する入力部２５と、副表示ユニット２に設けられた上述の各ユニットを制御するサブ制御部２６を備えている。
【００４１】
更に、副表示ユニット２は、主表示ユニットとして使用される際に必要な主表示ユニット１の医療情報取得部１１、医療情報記憶部１２、表示ユニット検知部１３及び情報処理部１５と略同等の機能を有する医療情報取得部、医療情報記憶部、表示ユニット検知部及び情報処理部を備えている。
【００４２】
以下、上述の各ユニットを有する副表示ユニット２の構成と機能について更に詳しく説明する。
【００４３】
固体識別子２１は、既に図２に示したように副表示ユニット２の左端部、下端部、右端部及び上端部に設けられ、更に、主表示ユニットとして使用される際に必要な表示ユニット検知部が固体識別子２１の近傍に設けられている。
【００４４】
例えば、ＲＦＩＤ（Radio Frequency Identification ）法に対応した固体識別子２１は、主表示ユニット１が備える表示ユニット検知部１３との間で電磁界や電波を用いた無線通信を行なうことにより、この固体識別子２１が有する副表示ユニット２の識別情報を主表示ユニット１へ供給する。
【００４５】
尚、ここでは、内部に電池等のエネルギー供給源を有さず、主表示ユニット１の識別情報検出部１３が備えた図示しないアンテナから供給される電波をエネルギー源として動作するパッシブタグを用いて副表示ユニット２の識別情報を主表示ユニット１へ供給する場合について述べるが、内部にエネルギー源を有したアクティブタグやセミアクティブタグを用いる方法であっても構わない。
【００４６】
即ち、副表示ユニット２の固体識別子２１は、例えば、微小なワンチップＩＣとアンテナによって構成され、主表示ユニット１の表示ユニット検知部１３を中心とした所定サイズの検知可能領域内に上述の固体識別子２１が接近した場合、表示ユニット検知部１３のアンテナから送信された電波あるいは電磁界は固体識別子２１のアンテナによって受信される。そして、固体識別子２１は、受信した電波あるいは電磁波をエネルギー源として自己のワンチップＩＣを動作させることにより読み出した固体識別子２１の識別情報を自己のアンテナを介して主表示ユニット１の表示ユニット検知部１３へ供給する。
【００４７】
送受信部２２は、主表示ユニット１が備える送受信部１４との間で無線通信方式による各種情報の送受信を行なう。即ち、送受信部２２は、主表示ユニット１の入力部１７において選択された分散表示モードの選択情報に基づいてシステム制御部１８が出力する表示能力情報要求信号を受信し、この要求信号に基づいて表示能力情報保管部２３から読み出された副表示ユニット２の表示能力情報を主表示ユニット１の送受信部１４へ送信する。更に、送受信部２２は、上述の表示能力情報に基づいて主表示ユニット１の情報処理部１５が生成した副表示データや表示ユニット検知部１３によって検出された副表示ユニット２の接近解除情報に基づいてシステム制御部１８が出力した副表示データ消去指示信号を受信する。
【００４８】
一方、表示能力情報保管部２３には、副表示ユニット２の表示能力情報として、例えば、副表示ユニット２の表示領域サイズ、発色能力（色数）、適用可能な言語、計算能力、記憶容量等に関する情報が予め保管されている。
【００４９】
次に、表示部２４は、主表示ユニット１の表示部１６と同様に液晶や有機ＥＬを用いた表示パネルとタッチパッド等を用いた位置情報入力部とから構成されるタッチパネルを有し、更に、主表示ユニット１から供給された副表示データを保存する図示しない表示データ記憶部を備えている。そして、表示能力情報に基づいて主表示ユニット１の情報処理部１５が生成し送受信部１４及び副表示ユニット２の送受信部２２を介して供給された副表示データは、上述の表示データ記憶部に一旦保存された後表示パネルにて表示される。
【００５０】
又、主表示ユニット１に対する副表示ユニット２の接近が解除された場合、主表示ユニット１から供給される副表示データ消去指示信号に基づいてサブ制御部２６が生成した出力制御信号により表示部２４の表示パネルにおける副表示データの表示を終了させ、表示データ記憶部に保存されていた副表示データは強制的に消去される。
【００５１】
入力部２５は、マウスやキーボード等の入力デバイスを備え、表示部２４に表示された副表示データに不具合がある場合には、これらの改善を目的とした指示信号の入力や表示能力情報の更新等を必要に応じて行なう。又、入力部２５において入力された各種の選択／指示信号は、副表示ユニット２の送受信部２２及び主表示ユニット１の送受信部１４を介してシステム制御部１８へ供給され、入力部１７において入力された選択／指示信号と同様の機能を有する。
【００５２】
そして、サブ制御部２６は、上述の各ユニット統括的に制御する機能を有し、特に、主表示ユニット１から送受信部２２を介して表示能力情報要求信号が供給された場合、この要求信号に対応した副表示ユニット２の表示能力情報を表示能力情報保管部２３から読み出し、送受信部２２を介して主表示ユニット１へ供給する。
【００５３】
又、主表示ユニット１に対する副表示ユニット２の接近が解除された場合、主表示ユニット１から供給される副表示データ消去指示信号に基づいて表示部２４を制御することにより、表示パネルにおける副表示データの表示を終了させるとともに表示データ記憶部に保存されていた当該副表示データを消去する。
【００５４】
（分散表示モードにおける表示データの生成／表示手順）
次に、本実施形態の分散表示モードにおける表示データの生成／表示手順につき図４のフローチャートに沿って説明する。
【００５５】
分散表示モードにおける表示データの生成に際し、医療情報表示装置１００の主表示ユニット１が備える医療情報取得部１１は、別途設置された画像診断装置からネットワークや大容量の記憶媒体等を介して供給された画像データとこの画像データに付加された患者情報や画像データ収集条件等の付帯情報を医療情報として取得する。そして、得られた上述の画像データ及びその付帯情報を医療情報記憶部１２に保存する（図４のステップＳ１）。
【００５６】
次いで、主表示ユニット１の情報処理部１５は、医療情報記憶部１２に保存された上述の画像データ及びその付帯情報を読み出し、例えば、付帯情報に画像データを重畳配置して生成した第１の主表示データを表示部１６の表示パネルに表示する（図４のステップＳ２）。
【００５７】
一方、医療情報表示装置１００の操作者は、表示部１６に表示された第１の主表示データにおける画像データとその付帯情報を観察する。そして、所望の付帯情報を他の表示ユニット（副表示ユニット２）に分散表示させる必要があると判断した場合、入力部１７において分散表示モードを選択し（図４のステップＳ３）、副表示ユニット２を主表示ユニット１に対して接近させる（図４のステップＳ４）。
【００５８】
そして、主表示ユニット１に接近した副表示ユニット２の固体識別子２１が主表示ユニット１に設けられた表示ユニット検知部１３の検知可能領域内に進入したならば、表示ユニット検知部１３は、個体識別子２１から無線通信手段によって供給された副表示ユニット２の識別情報と主表示ユニット１に対する副表示ユニット２の接近方向を検出する（図４のステップＳ５）。
【００５９】
一方、主表示ユニット１の送受信部１４は、入力部１７において選択された分散表示モードの選択情報に基づいてシステム制御部１８が出力した表示能力情報要求信号を表示ユニット検知部１３によって検出された識別情報に対応する副表示ユニット２の送受信部２２に対して送信し、この要求信号に基づいて副表示ユニット２の表示能力情報保管部２３から読み出された副表示ユニット２の表示能力情報を取得する（図４のステップＳ６）。
【００６０】
次に、情報処理部１５は、副表示ユニット２から送受信部１４を介して供給された副表示ユニット２の表示能力情報を受信し、表示ユニット検知部１３によって検出された副表示ユニット２の接近方向に基づいて医療情報記憶部１２に保存されている各種付帯情報の中から抽出した付帯情報を上述の表示能力情報に基づいて変換処理することにより副表示ユニット２に好適な副表示データを生成する。そして、得られた副表示データを送受信部１４及び送受信部２２を介して副表示ユニット２の表示部２４に表示する（図４のステップＳ７）。
【００６１】
更に、情報処理部１５は、医療情報記憶部１２から読み出した画像データとステップＳ７における副表示データの生成に使用した付帯情報を除く前記画像データの付帯情報を用いて第２の主表示データを生成する。そして、得られた第２の主表示データを主表示ユニット１の表示部１６に表示する（図４のステップＳ８）。
【００６２】
次に、副表示ユニット２の固体識別子２１が、主表示ユニット１に設けられた表示ユニット検知部１３の検知可能領域外へ移動した場合（図４のステップＳ９）、主表示ユニット１のシステム制御部１８は、表示ユニット検知部１３から供給された副表示ユニット２の接近解除情報に基づいて副表示データ消去指示信号を生成し、送受信部１４及び送受信部２２を介して上述の指示信号を受信した副表示ユニット２のサブ制御部２６は出力制御信号を生成する。そして、表示部２４は、サブ制御部２６から供給された上述の出力制御信号に従って自己の表示パネルにおける副表示データの表示を終了し、自己の表示データ記憶部に保存されていた副表示データを強制的に消去する（図４のステップＳ１０）。
【００６３】
一方、主表示ユニット１の情報処理部１５は、上述のステップＳ２と同様の手順により医療情報記憶部１２に保存されている画像データとその付帯情報に基づいて第１の主表示データを生成し、表示部１６の表示パネルに表示する（図４のステップＳ１１）。
【００６４】
（変形例）
次に、本実施形態の変形例につき図５乃至図７を用いて説明する。上述の実施形態では、主表示ユニットの表示ユニット検知部によって検出された主表示ユニットに対する副表示ユニットの接近方向に基づいて副表示データの生成に用いる付帯情報を選択する場合について述べたが、本変形例では、主表示ユニットに表示された第１の主表示データを構成する各種付帯情報の中から副表示データの生成に好適な付帯情報（以下、副表示データ用付帯情報と呼ぶ。）を入力部１７ａの入力デバイスを用いて選択する場合について述べる。
【００６５】
（装置の構成）
本変形例における医療情報表示装置２００の全体構成を図５のブロック図を用いて説明する。但し、図５のブロック図において、図１に示した医療情報表示装置１００のユニットと同一の構成及び機能を有するユニットは同一の符号を付加し詳細な説明は省略する。
【００６６】
即ち、図５に示す本変形例の医療情報表示装置２００は、主表示ユニット１ａと１つあるいは複数からなる副表示ユニット２を備え、副表示ユニット２は、主表示ユニット１ａの検知可能領域内に接近した場合、無線通信回線を介した主表示ユニット１ａとの通信が可能となるように構成されている。
【００６７】
そして、主表示ユニット１ａは、別途設置された画像診断装置から供給された画像データとこの画像データの付帯情報である患者情報や画像データ収集条件等を医療情報として取得する医療情報取得部１１と、医療情報取得部１１から供給された上述の画像データ及びその付帯情報を保存する医療情報記憶部１２と、副表示ユニット２に対する表示能力情報要求信号、副表示データ及び副表示データ消去指示信号の送信と副表示ユニット２から供給された表示能力情報の受信を行なう送受信部１４ａと、医療情報記憶部１２から読み出した医療情報（画像データ及びその付帯情報）を用いて第１の主表示データを生成し、更に、副表示ユニット２から供給された表示能力情報及び後述の位置情報検出部１９から供給されたポインタの位置情報（即ち、入力部１７ａの入力デバイスを用いて選択した副表示データ用付帯情報の位置情報）に基づいて上述の医療情報を選択／処理することにより第２の主表示データ及び副表示データを生成する情報処理部１５ａと、第１の主表示データ及び第２の主表示データを表示する表示部１６を備え、更に、表示モード（標準表示モード／分散表示モード）の選択、第１の主表示データ及び第２の主表示データの表示条件設定、第１の主表示データに基づいた副表示データ用付帯情報の選択及びこの付帯情報に基づいて生成された副表示データを表示する副表示ユニット２の選択、各種指示信号の入力等を行なう入力部１７ａと、入力部１７ａの入力デバイスを用いて第１の主表示データの副表示データ用付帯情報に設定された前記ポインタの位置情報及び移動情報（移動方向）を検出する位置情報検出部１９と、上述の各ユニットを統括的に制御するシステム制御部１８ａを備えている。
【００６８】
そして、送受信部１４ａは、副表示ユニット２の送受信部２２との間で無線通信回線を介して各種情報の送受信を行なう機能を有している。そして、入力部１７ａにおいて選択された分散表示モードの選択情報に基づいてシステム制御部１８ａが出力する表示能力情報要求信号を、位置情報検出部１９において検出されたポインタの移動情報に基づいて選択した（即ち、ポインタの移動方向において主表示ユニット１ａに近接して配置された）副表示ユニット２に対して送信し、この要求信号に基づいて副表示ユニット２から供給された表示能力情報を受信する。
【００６９】
更に、送受信部１４ａは、情報処理部１５ａが医療情報記憶部１２に保存されている当該画像データの付帯情報を上述の表示能力情報と位置情報検出部１９において検出されたポインタの位置情報に基づいて選択／処理することにより生成した副表示データや表示ユニット検知部１３によって検出された副表示ユニット２の接近解除情報に基づいてシステム制御部１８ａが出力した副表示データ消去指示信号を副表示ユニット２に対して送信する。
【００７０】
一方、情報処理部１５ａは、画像診断装置において生成され医療情報記憶部１２に保存された画像データとその付帯情報を読み出し、これらの全てが並列配置あるいは重畳配置された第１の主表示データを生成する。更に、情報処理部１５ａは、副表示ユニット２の表示能力情報及び位置情報検出部１９によって検出された第１の主表示データの副表示データ用付帯情報におけるポインタの位置情報に基づいて上述の画像データとその付帯情報を選択／処理することにより画像データの観察を目的とした第２の主表示データと付帯情報の観察を目的とした副表示データを生成する。
【００７１】
特に、副表示データの生成に際し、情報処理部１５ａは、先ず、副表示ユニット２から送受信部１４ａを介して供給された副表示ユニット２の表示能力情報を受信する。次いで、位置情報検出部１９から供給された第１の主表示データの副表示データ用付帯情報あるいはこの副表示データ用付帯情報のタブに設定されたポインタの位置情報に基づいて医療情報記憶部１２から読み出した付帯情報を上述の表示能力情報を用いて変換処理することにより副表示ユニット２に好適な副表示データを生成する。
【００７２】
次に、入力部１７ａは、マウスやキーボード等の入力デバイスを備え、表示モード（標準表示モード／分散表示モード）の選択、第１の主表示データ及び第２の主表示データの表示条件設定、第１の主表示データに示された副表示データ用付帯情報のタブに対するポインタの配置及び副表示データ用付帯情報に付加したポインタの移動、各種指示信号の入力等を行なう。
【００７３】
特に、表示部１６に表示された第１の主表示データに基づいて副表示データに好適な付帯情報（副表示データ用付帯情報）を選択する際、入力部１７ａの入力デバイスは、第１の主表示データにおいて画像データと共に示された副表示データ用付帯情報のタブに対してポインタを配置（タップ）する。一方、情報処理部１５ａは、位置情報検出部１９から供給された上記ポインタの位置情報に基づいて医療情報記憶部１２に保存されている各種付帯情報の中から抽出した付帯情報を副表示ユニット２の表示能力情報に基づいて選択／処理することにより副表示データを生成する。
【００７４】
又、情報処理部１５ａによって生成された副表示データを表示する副表示ユニット２を選択する際、入力部１７ａの入力デバイスは、第１の主表示データの副表示データ用付帯情報に付加したポインタを副表示データ用付帯情報と共に表示面に沿って所定方向へ移動（スワイプ）する。
【００７５】
次いで、送受信部１４ａは、位置情報検出部１９が検出したポインタの移動情報に基づいて主表示ユニット１ａの周囲に近接して配置されている各種副表示ユニットの中から選択した上記ポインタの移動方向に配置されている副表示ユニット２に対して上述の副表示データを供給する。
【００７６】
次に、位置情報検出部１９は、入力部１７ａの入力デバイスを用いて第１の主表示データが表示されている表示部１６のタッチパネル上に配置されたポインタの位置情報と移動情報（移動方向）を検出する機能を有している。そして、第１の主表示データにおいて画像データと共に示された副表示データ用付帯情報のタブに配置されている上記ポインタの位置情報に基づいて医療情報記憶部１２に保存されている各種付帯情報の中から副表示データの生成に用いる付帯情報が選択され、更に、表示部１６のタッチパネルに沿って入力デバイスと共に移動する上記ポインタの移動方向に基づいて主表示ユニット１ａの周囲に配置されている各種副表示ユニットの中から当該副表示データの表示に用いる副表示ユニット２が選択される。
【００７７】
一方、システム制御部１８ａは、上述の各ユニットを統括的に制御する機能を有し、特に、入力部１７ａにおいて副表示ユニット２を用いた分散表示モードが選択された場合には、入力部１７ａから供給された選択信号に基づいて副表示ユニット２に対する表示能力情報要求信号を生成する。又、分散表示モードから標準表示モードへの表示モード切り替えや分散表示モードの停止／終了が行なわれる場合には、入力部１７ａから供給された選択／指示信号に基づいて副表示ユニット２に対する副表示データ消去指示信号を生成する。
【００７８】
図６は、第１の主表示データを用いた副表示データ用付帯情報の選択方法とこの付帯情報に基づいて生成された副表示データを表示する副表示ユニット２の選択方法を説明するための図である。
【００７９】
即ち、図６（ａ）は、患者情報Ｒ２１や他の付帯情報に画像データＲ１１を重畳して生成された第１の主表示データＩＭ１を示しており、画像データＲ１１及び患者情報Ｒ２１には、夫々のデータを選択する際に用いられるタブＲ１２及びＲ２２が付加されている。そして、例えば、入力部１７ａの入力デバイスを用いて表示部１６に表示された第１の主表示データＩＭ１のタブＲ２２にポインタＰを配置した場合、図６（ｂ）に示すようにタブＲ２２に対応した患者情報Ｒ２１が画像データＲ１１の前面に表示される。
【００８０】
次いで、上述のタブＲ２２あるいは画像データＲ１１の前面に表示された患者情報２１の任意の位置に付加したポインタＰを患者情報２１と共に上述の入力デバイスを用いて、例えば、矢印で示す第１の主表示データＩＭ１の右方向へ移動させた場合、情報処理部１５ａは、患者情報２１の位置情報に基づいて医療情報記憶部１２から読み出した付帯情報（患者情報）を用いて副表示データを生成し、送受信部１４ａは、情報処理部１５ａが生成した上述の副表示データをポインタＰの移動方向に対応した主表示ユニット１ａの右端部に近接して配置されている副表示ユニット２へ供給する。
【００８１】
（分散表示モードにおける表示データの生成／表示手順）
次に、本変形例の分散表示モードにおける表示データの生成／表示手順につき図７のフローチャートに沿って説明する。但し、上述の生成／表示手順を示す図７のフローチャートにおいて図４の手順と同一の手順は同一の符号を付加し、詳細な説明は省略する。
【００８２】
図７のステップＳ１乃至ステップＳ４において医療情報の取得／保存、第１の主表示データの生成／表示、分散表示モードの選択及び主表示ユニット１ａに対する副表示ユニット２の接近が終了したならば、医療情報表示装置２００の操作者は、表示部１６に表示された第１の主表示データが有する副表示データ用付帯情報のタブに入力部１７ａの入力デバイスによるポインタを配置する。
【００８３】
そして、上述のタブに対するポインタの配置により表示パネルの前面に表示された副表示データ用付帯情報に当該ポインタを移動させた後、このポインタが付加された副表示データ用付帯情報を上述の入力デバイスを用いて所望の方向へ移動させる。一方、位置情報検出部１９は、副表示データ用付帯情報のタブに配置されたポインタの位置情報と副表示データ用付帯情報に付加されたポインタの移動方向を検出する（図７のステップＳ５ａ）。
【００８４】
次いで、主表示ユニット１ａの送受信部１４ａは、入力部１７ａにおいて選択された分散表示モードの選択情報に基づいてシステム制御部１８ａが出力した表示能力情報要求信号を、位置情報検出部１９によって検出されたポインタの移動情報に基づいて選択した（即ち、ポインタの移動方向において主表示ユニット１ａに近接して配置されている）副表示ユニット２に対して送信し、この要求信号に基づいて副表示ユニット２から供給された表示能力情報を受信する（図７のステップＳ６ａ）。
【００８５】
次に、情報処理部１５ａは、副表示ユニット２から上述の送受信部１４ａを介して供給された副表示ユニット２の表示能力情報と位置情報検出部１９から供給されたポインタの位置情報を受信し、医療情報記憶部１２に保存されている各種付帯情報の中から抽出したポインタの位置情報に対応する付帯情報を上述の表示能力情報に基づいて変換処理することにより副表示ユニット２に好適な副表示データを生成する。そして、得られた副表示データは、送受信部１４ａ及び送受信部２２を介して副表示ユニット２の表示部２４に表示される（図７のステップＳ７ａ）。
【００８６】
更に、情報処理部１５ａは、医療情報記憶部１２から読み出した画像データと上述のステップＳ７ａにおいて副表示データの生成に使用した付帯情報を除く前記画像データの付帯情報を用いて第２の主表示データを生成し、得られた第２の主表示データを表示部１６の表示パネルに表示する（図７のステップＳ８ａ）。
【００８７】
そして、入力部１７ａにおいて標準表示モードが新たに選択された場合（図７のステップＳ９ａ）、システム制御部１８ａは、入力部１７ａから供給された標準表示モードの選択情報に基づいて副表示データ消去指示信号を生成し、送受信部１４ａ及び副表示ユニット２の送受信部２２を介して上述の副表示データ消去指示信号を受信したサブ制御部２６は出力制御信号を生成する。そして、表示部２４は、この出力制御信号に従って自己の表示パネルにおける副表示データの表示を終了し、更に、自己の表示データ記憶部に保存されていた副表示データを強制的に消去する（図７のステップＳ１０ａ）。
【００８８】
一方、主表示ユニット１ａの情報処理部１５ａは、上述のステップＳ２と同様の手順により医療情報記憶部１２に保存されている画像データ及びこの画像データの付帯情報に基づいて第１の主表示データを再度生成して表示部１６の表示パネルに表示する（図７のステップＳ１１ａ）。
【００８９】
以上述べた本開示の実施形態及びその変形例によれば、画像診断装置によって収集された各種の医療情報を表示する際、主表示ユニット及びこの主表示ユニットに近接して配置された副表示ユニットを併用して上述の医用情報を分散表示することにより、医療情報の詳細な観測や操作性に優れた各種の入出力操作を容易に行なうことができる。
【００９０】
即ち、表示領域が１つに限定された従来の表示ユニットにおいて画像データに重畳配置あるいは並列配置された付帯情報を観測する際に要求される表示データのスクロールやタブ切り替え等の煩雑な操作を行なうことなく良好な画像データ及びその付帯情報を同時に観測することができるため、正確な診断を効率よく行なうことが可能となるのみならず当該医療情報を用いて診断を行なう操作者の負担を大幅に軽減することができる。特に、上述の分散表示により比較的広い表示領域の確保が容易となるため、従来の表示ユニットにおいて行なわれてきた画像データや付帯情報に対する過度の圧縮処理や圧縮データに対する説明用データ等の付加が不要となる。
【００９１】
一方、上述の実施形態によれば、主表示ユニットの検知可能領域内に接近した副表示ユニットの接近方向を検出することにより、副表示ユニットに表示する付帯情報の選択を自動的に行なうことが可能となり、又、上述の変形例によれば、主表示ユニットに表示された第１の主表示データに画像データと共に示されている所望の付帯情報（副表示ユニット用付帯情報）を入力デバイス等によって選択／移動することにより、副表示データの生成に用いる付帯情報及びこの副表示データを表示する副表示ユニットの選択を任意かつ確実に行なうことができる。
【００９２】
更に、上述の実施形態及びその変形例によれば、副表示ユニットに表示される副表示データの生成は、副表示ユニットの表示能力情報に基づいて行なわれるため、副表示ユニットに最適な副表示データの生成を常時行なうことができる。又、副表示ユニットにおける副表示データの表示を終了する際、副表示ユニットの内部に保存されている副表示データは強制的に消去されるため、医療情報に対して高いセキュリティを確保することが可能となる。
【００９３】
又、副表示ユニットの入力部において入力される各種の指示信号に基づいて主表示ユニットや他の副表示ユニットを制御することにより、医療情報表示装置の操作性を更に向上させることができる。
【００９４】
以上、本開示の実施形態及びその変形例について述べてきたが、本開示は、上述の実施形態及びその変形例に限定されるものではなく、更に変形して実施することが可能である。例えば、上述の実施形態及びその変形例では、画像診断装置から供給される画像データやその付帯情報を１つあるいは複数の表示ユニット２を用いて分散表示する際、画像データ等の主要医療データをコンソール型の主表示ユニット１（１ａ）に表示し、付帯情報の１部あるいは全てを主表示ユニット１（１ａ）に接近して配置されたＰＤＡ（携帯情報端末）等の副表示ユニット２に表示する場合について述べたが、主表示ユニット及び副表示ユニットは上述に限定されるものではなく、例えば、ＰＤＡを主表示ユニットとして用い、コンソール型の表示ユニットを副表示ユニットとして用いてもよく、ＰＤＡを用いて主表示ユニット及び副表示ユニットを構成してもよい。
【００９５】
又、主表示ユニット１（１ａ）において表示される医療情報は、当該診断において得に重要な医療情報（主要医療データ）であれば画像データ以外の医療情報であっても構わない。この場合も、主要医療データの付帯情報が主表示ユニット１（１ａ）に近接して配置された１つあるいは複数の副表示ユニット２において表示される。更に、医療情報の供給元は、画像診断装置に限定されるものではなく、各種の検査装置や医療情報サーバ等であってもよい。
【００９６】
更に、別途設置された画像診断装置等の医用装置から供給される各種の医療情報を分散表示する医療情報表示装置１００（２００）について述べたが、医療情報表示装置１００（２００）は、医用装置の一部であっても構わない。
【００９７】
又、上述の実施形態及びその変形例では、副表示ユニット２における副表示データの表示を終了する際、医療情報のセキュリティ確保を目的として、表示部２４の表示データ記憶部に保存されている副表示データを強制的に消去する方法について述べたが、主表示ユニット１（１ａ）から供給される副表示データを表示部２４の表示パネルに直接表示する方法を用いてもよい。この方法によれば、副表示ユニット２に対する副表示データの供給を停止することにより副表示ユニット２の副表示データは全て消失するため、表示データ記憶部等を用いた副表示データの消去は不要となり医療情報のセキュリティ確保は容易となる。
【００９８】
一方、上述の変形例では、第１の主表示データに含まれている副表示データ用付帯情報のタブにポインタを配置することにより副表示データの生成に用いる付帯情報を選択する場合について述べたが、画像データ及びその付帯情報の並列配置によって第１の主表示データが生成されている場合には、副表示データ用付帯情報にポインタを直接配置することにより副表示データの生成に用いる付帯情報の選択を行なっても構わない。
【００９９】
又、上述の実施形態では、周囲に４つの表示ユニット検知部と個体識別子を備えた主表示ユニット１及び副表示ユニット２について示したが、表示ユニット検知部及び個体識別子の数は４つに限定されない。
【０１００】
尚、本実施形態の医療情報表示装置１００あるいはその変形例の医療情報表示装置２００に含まれる各ユニットは、例えば、ＣＰＵ、ＲＡＭ、磁気記憶装置、入力装置、表示装置等で構成されるコンピュータをハードウェアとして用いることでも実現することができる。例えば、医療情報表示装置１００のシステム制御部１８あるいは医療情報表示装置２００のシステム制御部１８ａは、上記のコンピュータに搭載されたＣＰＵ等のプロセッサに所定の制御プログラムを実行させることにより各種機能を実現することができる。この場合、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【０１０１】
以上、本発明の実施形態とその変形例を説明したが、これらの実施形態及び変形例は、例として提示したものであり発明の範囲を限定することは意図していない。これら新規な実施形態及び変形例は、その他の様々な形態で実施されることが可能であり、発明の要旨を逸脱しない範囲で種々の省略、置き換え、変更を行なうことができる。これらの実施形態やその変形例は、発明の範囲や要旨に含まれるとともに、特許請求の範囲に記載された発明とその均等の範囲に含まれる。
【符号の説明】
【０１０２】
１…主表示ユニット
１１…医療情報取得部
１２…医療情報記憶部
１３…表示ユニット検知部
１４、１４ａ…送受信部
１５、１５ａ…情報処理部
１６…表示部
１７、１７ａ…入力部
１８、１８ａ…システム制御部
１９…位置情報検出部
２…副表示ユニット
２１…固体識別子（タグ）
２２…送受信部
２３…表示能力情報保管部
２４…表示部
２５…入力部
２６…サブ制御部
１００、２００…医療情報表示装置
【図１】
2014180338.tif 000003
【図２】
2014180338.tif 000004
【図３】
2014180338.tif 000005
【図４】
2014180338.tif 000006
【図５】
2014180338.tif 000007
【図６】
2014180338.tif 000008
【図７】
2014180338.tif 000009